(57)【要約】【課題】  簡単な構成により、各爪部の爪台を同時且つ均一に高さ調整できるようにしたオフセット印刷機を提供する。【解決手段】  本発明のオフセット印刷機は、周囲方向に等角度間隔に配置された爪台１４及び爪１５から成る複数組の爪部１１を備えた中間胴１０の一側面において、中間胴の半径方向に対して高さ調整可能に保持されている爪台１４が、他の角度位置に配置された爪台１１と連動手段２０を介して連結され、各爪台の高さを同時且つ均一に調整可能ならしめる。【選択図】        図１
2006150682.tif 000002
【特許請求の範囲】
【請求項１】
周面方向に等角度間隔で配置された爪台及び爪から成る複数組の爪部を備える中間胴を具備するオフセット印刷機において、
前記複数組の爪部は、それぞれ爪台の高さを調整する爪台高さ調整機構を有し、
前記中間胴は、その一側面において前記爪台高さ調整機構による爪台の高さ調整を、任意の爪台高さ調整機構による前記爪台の高さ調整に基づいて、他の爪台の高さ調整を同時且つ均一に調整可能ならしめる連動手段を具備することを特徴とするオフセット印刷機。
【請求項２】
前記連動手段は、
前記爪台を前記中間胴の半径方向に移動させるためのカム面を備えたカム軸に取り付けられた回転歯車と、
前記回転歯車と噛合する歯車部と、
前記中間胴と同心状に配置され且つ該中間胴の中心軸の周りに回動可能に支持された環状の駆動部材と、
から構成されていることを特徴とする請求項１に記載のオフセット印刷機。
【請求項３】
前記駆動部材は、前記回転歯車と噛合する領域のみに前記歯車部を備えていることを特徴とする請求項２に記載のオフセット印刷機。
【請求項４】
前記爪部は、外部から前記爪台の高さ調整のために回転駆動されるウォームを備え、
前記ウォームは、前記回転歯車と噛合していることを特徴とする請求項２又は３に記載のオフセット印刷機。
【発明の詳細な説明】
【技術分野】
【０００１】
本発明は、例えば多色刷のオフセット印刷機に関し、特に各色に対応する印刷ユニット間にて枚葉紙を搬送する中間胴の爪台の高さ調整機構を備えるオフセット印刷機に関する。
【背景技術】
【０００２】
従来、例えば特許文献１による枚葉多色刷オフセット印刷機は、図４に示すように構成されている。
図４において、オフセット印刷機１は、例えば、イエロー、マゼンタ、シアン、ブラックの各色毎に印刷ユニット１ａ、１ｂ、１ｃ、１ｄを備えている。なお、図４においては、構成を見易くするために、インキング部や水浸し部の詳細構成が省略されている。
上記各印刷ユニット１ａ〜１ｄは、それぞれ版胴２ａ〜２ｄ、ブランケット胴３ａ〜３ｄ、圧胴４ａ〜４ｄを備えており、圧胴４ａ〜４ｄのそれぞれの間には、中間胴５ａ、５ｂ、５ｃを備えている。
【０００３】
さらに、これらの印刷ユニット１ａの前段には給紙部６が設けられ、印刷ユニット１ｄの後段には排紙部７が設けられている。これにより、給紙部６から給紙テーブル６ａ、スイング機構６ｂ及び渡し胴６ｃを介して枚葉紙Ａが最初の印刷ユニット１ａのブランケット胴３ａと版胴２ａとの間に給紙されると共に、最後の印刷ユニット１ｄの圧胴４ｄからデリバリ胴７ａ、チェーングリッパ７ｂを介して排紙部７の排紙台７ｃ上に枚葉紙Ａが排紙される。
【０００４】
上記各印刷ユニット１ａ〜１ｄは、夫々同じ構成であって、版胴２ａ〜２ｄの周面に沿って装着された刷版（図示せず）に対して印刷インキが塗布されることにより、刷版上に塗布された印刷インキがブランケット胴３ａ〜３ｄ上に転写され、さらにブランケット胴３ａ〜３ｄに対して圧胴４ａ〜４ｄにより圧接される枚葉紙上に転写されることにより、印刷が行なわれる。
【０００５】
ここで、中間胴５は、その円筒状の周面の周囲方向の長さが複数枚、例えば２枚の枚葉紙Ａの長さに対応して選定されており、その周面に沿って回転軸に対して等角度間隔で配置されている。なお、各爪部は、中間胴５の軸方向に沿って分散して複数個配置されている。
【０００６】
このような爪部は、中間胴５の周面に対して半径方向に調整可能に配置された爪台と、爪台の表面に対して半径方向外側から枚葉紙を挟持するようにバネ等の押圧手段により押圧される爪と、から構成されている。
ここで、各爪台は、そのとき印刷される枚葉紙の紙厚に対応して、それぞれ例えば特許文献２に示されるような調整装置によって、適宜に上記中間胴の半径方向に位置調整され、当該中間胴の周面に対して高さ調整されるようになっている。
【０００７】
このような構成のオフセット印刷機１によれば、各版胴２ａ〜２ｄにそれぞれ刷版が取り付けられた状態で、給紙部６から給紙された枚葉紙が、各印刷ユニット１ａ〜１ｃにて順次に対応する印刷インキによる印刷が行なわれた後、それぞれ中間胴５ａ〜５ｃの爪部によりその周面に保持されて、次の印刷ユニットへ引き渡され、最後に印刷ユニット１ｄにて印刷が行なわれ、排紙部７により排紙台７ｃ上に排紙されて積層される。これにより、各枚葉紙に対して順次に印刷処理が行われる。
【特許文献１】特願２００３−２７６０８７号
【特許文献２】特開平１１−０９９６２３号
【発明の開示】
【発明が解決しようとする課題】
【０００８】
しかしながら、従来のオフセット印刷機１は、各中間胴５ａ〜５ｃにおいて、印刷しようとする枚葉紙の紙厚が変更される度に、各爪部の個々の爪台の高さ調整を行う必要があり、調整作業が煩雑であると共に、印刷中断時間が長くなり、印刷効率を損なうという問題点があった。
【０００９】
本発明は、以上の問題点に鑑みて成されたものであり、各爪部の爪台を同時且つ均一に高さ調整できるようにしたオフセット印刷機を提供することを目的とする。
【課題を解決するための手段】
【００１０】
前記課題を解決するため、本発明の請求項１記載の発明は、周面方向に等角度間隔で配置された爪台及び爪から成る複数組の爪部を備える中間胴を具備するオフセット印刷機において、前記複数組の爪部は、それぞれ爪台の高さを調整する爪台高さ調整機構を有し、前記中間胴は、その一側面において前記爪台高さ調整機構による爪台の高さ調整を、任意の爪台高さ調整機構による前記爪台の高さ調整に基づいて、他の爪台の高さ調整を同時且つ均一に調整可能ならしめる連動手段を具備することを特徴とする。
【００１１】
請求項２記載の発明は、請求項１記載の発明において、前記連動手段は、前記爪台を前記中間胴の半径方向に移動させるためのカム面を備えたカム軸に取り付けられた回転歯車と、前記回転歯車と噛合する歯車部と、前記中間胴と同心状に配置され且つ該中間胴の中心軸の周りに回動可能に支持された環状の駆動部材と、から構成されていることを特徴とする。
【００１２】
請求項３記載の発明は、請求項２記載の発明において、前記駆動部材は、前記回転歯車と噛合する領域のみに前記歯車部を備えていることを特徴とする。
【００１３】
請求項４記載の発明は、請求項２又は３記載の発明において、前記爪部は、外部から前記爪台の高さ調整のために回転駆動されるウォームを備え、前記ウォームは、前記回転歯車と噛合していることを特徴とする。
【発明の効果】
【００１４】
本発明によれば、各中間胴の周囲方向に等角度間隔に配置された各爪部の爪台が、連動手段を介して互いに連結されていることによって、任意の一つの爪部が上記中間胴に対して半径方向に調整されると、他の角度位置に在る爪部の爪台も、連動手段を介して同様に高さ調整されることになる。
【００１５】
従って、一つの爪部の爪台を枚葉紙の紙厚に対応して中間胴の周面に対して高さ調整することによって、他の角度位置に在る爪部の爪台も同様に高さ調整されることにより、中間胴に設けられた全ての爪部の爪台を適正に高さ調整することが可能となる。これにより、枚葉紙の紙厚に対応した爪台の高さ調整が容易に、そして迅速に行なわれることとなり、調整作業が単純化されると共に、枚葉紙交換の際の印刷中断時間が短縮され、作業効率を向上することができる。
【００１６】
また、連動手段が、各爪台を中間胴の半径方向に移動させるためのカム面を備えた軸方向に延びるカム軸に取り付けられた回転歯車と、この回転歯車と噛合する歯車部を備え、中間胴と同心状に配置され且つ中間胴の中心軸の周りに回動可能に支持された環状の駆動部材と、から構成されている場合には、何れかの爪台を移動させるためのカム軸を回転駆動して、この爪台を枚葉紙の紙厚に対応して、中間胴の周面に対して高さ調整することにより、このカム軸の回転駆動が回転歯車から駆動部材の歯車部に伝達され、回転歯車の回転量に応じて駆動部材が上記中間胴の中心軸の周りに回動する。
【００１７】
従って、駆動部材の回動が、再び歯車部を介して他の角度位置に在る爪台を移動させるためのカム軸に取り付けられた回転歯車に伝達され、他の爪台を移動させるためのカム軸が、回転駆動されたカム軸の回転量に同じ回転量だけ同方向に回転駆動されることになる。これにより、他の角度位置に在る爪台も、上記中間胴の半径方向に関して当該爪台と同じ距離だけ同じ方向に移動され、中間胴の周面に対して同時且つ均一に高さ調整することができる。
【００１８】
また、駆動部材が、各爪台の中間胴の半径方向の移動に対応して、回転歯車と噛合する領域のみに歯車部を備えている場合には、駆動部材がその全周に亘って歯車部を設ける必要がないので、製造コストが低減されると共に、回転部分の質量が低減され、回転モーメントが小さくなるという効果を奏する。
【００１９】
さらに、各爪部のうち、一つの爪部のみに関して、外部から爪台の高さ調整のために回転駆動されるウォームを備えており、このウォームが回転歯車と噛合している場合には、中間胴に設けられた全ての爪部が連動手段を介して連結されているので、外部から爪台の高さ調整を行なうためのウォームを一つの爪部のみに設ければよい。従って、他の角度位置に在る爪部についてはウォームを設ける必要がなく、製造コストを低減することが可能となる。
【００２０】
このようにして、本発明によれば、印刷しようとする枚葉紙の紙厚を変更する場合に、各中間胴にて、周面方向にそれぞれ等角度間隔で分散配置された一つの爪部について、その爪台の高さ調整を行なうだけの簡単な作業で、他の角度位置に在る爪部の爪台の高さ調整も同時且つ均一に行なうことができるという効果を奏する。従って、爪台の高さ調整の作業が単純化され、調整作業が容易に且つ迅速に行なわれることになる。
【発明を実施するための最良の形態】
【００２１】
以下、添付図面を参照して本発明に係るオフセット印刷機の実施の形態を詳細に説明する。
【実施例１】
【００２２】
図１は、本発明によるオフセット印刷機の一実施形態の要部である中間胴の構成を示す概略断面図である。
図１において、中間胴１０は、枚葉紙を把持するための複数個の爪部１１と、各爪部１１の高さ調整を連動させる連動機構２０と、を備えている。なお、図１に示す中間胴１０は、その円筒状の周面の周囲方向の長さが三枚の枚葉紙の長さに対応して選定されている３倍胴であるが、これに限定するものではない。
【００２３】
爪部１１は、中間胴１０の周面に沿って回転軸１２に対して等角度間隔となるように３箇所配置されている。
そして、中間胴１０の同じ角度位置で軸方向に整列した複数個の爪部１１に関して、共通のカム軸１３（図３参照）により、その爪台の高さ調整が行なわれるように構成されている。
【００２４】
爪部１１は、図２及び図３に示すように、中間胴１０の周面に対して半径方向に高さ調整可能に配置された爪台１４と、この爪台１４の表面に対して枚葉紙を挟持するように押圧される爪１５と、を有して構成される。
【００２５】
爪台１４は、図３に示すように、中間胴１０の周面に対して垂直に、即ち半径方向に移動可能に支持された爪台取付板１４ａにネジ１４ｂにより固着されている。
爪台取付板１４ａは、その内端が、前述したカム軸１３の周面またはカム面に選択的に当接するように、図３にて矢印Ｂで示すように、引張りバネ１４ｃにより中間胴１０の半径方向内側に向かって付勢されている。
【００２６】
ここで、カム軸１３は、中間胴１０の中心軸と平行な軸方向に延びており、この中心軸に対して同じ角度位置で軸方向に並ぶ複数個の爪部１１を貫通するようになっている。
従って、同じ角度位置で並ぶ各爪部１１の爪台取付板１４ａの内端が、それぞれ共通のカム軸１３の周面またはカム面に対して当接するようになっている。
【００２７】
さらに、カム軸１３は、図３に示されるように、その周囲に、中心軸から異なる距離となるように形成された複数個のカム面、図示の場合には三個のカム面１３ａ、１３ｂ、１３ｃを備えている。
これにより、カム軸１３が回動して、各カム面１３ａ、１３ｂ、１３ｃの中心または周面が、爪台取付板１４ａの内端に対向する位置に移動することにより、爪台取付板１４ａがカム軸１３の各カム面１３ａ、１３ｂ、１３ｃまたは周面に当接され、中間胴１０の半径方向に対して４つの位置、即ち中間胴１０の周面に対して四種類の高さ位置に調整されるようになっている。
ここで、カム軸１３の周面そして各カム面１３ａ、１３ｂ、１３ｃの中心軸からの半径方向の距離は、本オフセット印刷機で使用される枚葉紙の紙厚に応じて適宜に選定されている。
【００２８】
爪１５は、爪ホルダー１５ａにより支持軸１５ｂの周りに揺動可能に支持されており、さらにその先端１５ｃが中間胴１０の半径方向外側から爪台１４の外面に対して当接して閉じるように、バネ１５ｄにより付勢されている。
ここで、支持軸１５ｂは、例えば中間胴１０の軸方向の一端に取り付けられたカムフォロワー（図示せず）が、回転駆動される爪開閉カムの周囲に形成されたカム面に当接している。
これにより、爪１５は、そのカムフォロワーがこの爪開閉カムのカム面に追従することにより、枚葉紙の搬送タイミングに同期して開放し、その後、枚葉紙の先端が爪台１４と爪１５との間に挿入された後で閉じ、枚葉紙の先端を挟持すると共に、次の印刷ユニットへの引き渡しのタイミングに同期して開放するように構成されている。
【００２９】
上述した構成は、従来の中間胴とほぼ同様の構成であるが、本発明の実施形態による中間胴１０においては、以下の点で異なる構成となっている。
即ち、中間胴１０は、さらに中間胴の中心軸１２に対して等角度間隔で配置された各爪部１１における爪台１４の高さ調整のための移動を互いに連動させる連動手段としての連動機構２０を備えている。
【００３０】
連動機構２０は、図１に示すように、中間胴１０の中心軸の周りに回動可能に支持された環状の駆動部材２１と、上記各爪部１１のカム軸１３に取り付けられた回転歯車２２（図２参照）と、有して構成される。
【００３１】
駆動部材２１は、中間胴１０の中心軸に対して同心状に形成されており、図１に示すように、各爪部１１のカム軸１３に取り付けられた回転歯車２２と噛合する歯車部２３を備えている。
この歯車部２３は、中間胴１０と同心となるように円弧状に形成されており、駆動部材２１が回転するとき、各歯車部２３が回転歯車２２を同じ方向に同じ回転量だけ回転されるように配置される。
なお、図示の場合、歯車部２３は、各カム軸の回動に伴って回転する回転歯車２２の回転に対応する領域のみに設けられている。これにより、駆動部材２１の回転時における慣性質量が低減され、回転モーメントが小さくなるようになっているが、これに限らず、歯車部２３が駆動部材２１の全周に亘って設けられるように構成してもよい。
【００３２】
回転歯車２２は、各爪部１１のカム軸１３の一端に取り付けられており、カム軸１３と一体的に回転するようになっていると共に、駆動部材２１の対応する歯車部２３と噛合している。
【００３３】
ここで、爪部１１のうち、任意の爪部（例えば図１にて左方の爪部）１１は、図２に示すように、そのカム軸１３に取り付けられた回転歯車２２と噛合するウォーム２４を備えている。
このウォーム２４は、その六角孔を備えた外端２４ａが上記中間胴１０の周面に向かって露出している。これにより、外部から六角レンチ等のツールを使用して、ウォーム２４を回転させることにより、回転歯車２２、カム軸１３を回動させて、当該爪部１１の爪台１４の高さ調整を行なうようになっている。
なお、他の爪部にも上記と同様の構成を供えることが当然可能である。
【００３４】
本発明実施形態によるオフセット印刷機は以上のように構成されており、オフセット印刷機により印刷すべき枚葉紙の紙厚に対応して、中間胴１０の爪台１４の高さ調整を行なう場合、以下のようにして調整作業が行なわれる。
まず、外部から、図１にて左側の爪部１１のウォーム２４の外端２４ａの六角孔に対して、六角レンチ等のツールを挿入して、ウォーム２４を回動させる。これにより、ウォーム２４から回転歯車２２、カム軸１３に回転運動が伝達され、当該爪部１１のカム軸１３が回転され、このカム軸１３の周面または各カム面１３ａ、１３ｂ、１３ｃ（図３の場合、周面）が選択的に爪台取付板１４ａの内端に対向する。
【００３５】
これに伴って、上記爪台取付板１４ａは、バネ１４ｃによりカム軸１３に向かって付勢されていることから、その内端がカム軸１３の周面または各カム面１３ａ、１３ｂ、１３ｃに当接する。
これにより、爪台取付板１４ａは、カム軸１３の周面または各カム面１３ａ、１３ｂ、１３ｃの中心からの距離に応じて、中間胴１０の半径方向に関して位置決めされ、爪台１４が上記中間胴１０の周面に対して高さ調整されることになる。
【００３６】
また、上述したようにウォーム２４の回転により、上記回転歯車２２が回転すると、この回転が、駆動部材２１の対応する歯車部２３から駆動部材２１に伝達され、駆動部材２１が回転歯車２２の回転に伴って回転する。
これにより、駆動部材２１に備えられた他の歯車部２３から他の二つの爪部１１のカム軸１３に取り付けられた回転歯車２２に回転が伝達され、他の２つの爪部１１の回転歯車２２が、当該爪部１１の回転歯車２２の回転に同期して、同じ方向に同じ回転量だけ回転することになる。
【００３７】
従って、他の２つの爪部１１においても、同様にして各カム軸１３が回転され、これらのカム軸１３の周面または各カム面１３ａ、１３ｂ、１３ｃ（図３の場合、周面）が選択的に爪台取付板１４ａの内端に対向するので、上記爪台取付板１４ａの内端がカム軸１３の周面または各カム面１３ａ、１３ｂ、１３ｃに当接する。これにより、他の２つの爪部１１においても、爪台取付板１４ａが、中間胴１０の半径方向に関して位置決めされ、爪台１４が上記中間胴１０の周面に対して高さ調整されることになる。
【００３８】
このようにして、１つの爪部１１のカム軸１３を、外部からウォーム２４を介して回転することにより、この爪部１１の爪台１４を印刷すべき枚葉紙の紙厚に応じて中間胴１０の周面に対して高さ調整すると、この高さ調整に連動して、連動機構２０を介して他の２つの爪部１１における爪台１４も、同時且つ均一に高さ調整を行なうことができる。
従って、中間胴１０の中心軸に対して等角度間隔に分散配置された複数個の爪部１１のうち、１つの爪部１１に対して、その爪台１４の中間胴１０の周面に対する高さ調整作業を実施することによって、この高さ調整に連動して、他の２つの爪部１１においても、同一の高さ調整作業を実施することができる。これにより、印刷すべき枚葉紙の紙厚の変更の際に、各爪部１１における爪台１４の高さ調整作業が簡略化され、印刷中断時間が短縮され得ることになる。
【産業上の利用可能性】
【００３９】
上述した実施形態においては、中間胴１０は、その周面に沿って、三枚の枚葉紙を爪部１１により把持するようになっているが、これに限らず、二枚あるいは四枚以上の枚葉紙を把持するために、周面の周囲方向に関して等角度間隔で配置された二個または四個以上の爪部を備えた通称、２倍胴、４倍胴といった中間胴の構成においても、本発明を適用し得ることは言うまでもない。
また、上述した実施形態においては、それぞれオフセット印刷機は、枚葉紙の片面に対して四色刷り印刷を行なうようになっているが、これに限らず、中間胴を備えていれば、二色刷り、三色刷りあるいは五色以上の多色刷りや、両面印刷を行なうオフセット印刷機であっても、本発明を適用し得ることは明らかである。
このようにして、本発明によれば、簡単な構成により、各爪部の爪台を同時且つ均一に高さ調整できるようにしたオフセット印刷機が提供することができる。
【図面の簡単な説明】
【００４０】
【図１】本発明によるオフセット印刷機の一実施形態の要部である中間胴の構成を示す概略断面図である。
【図２】中間胴における爪部を拡大して示す（Ａ）部分拡大断面図及び（Ｂ）部分拡大側面図である。
【図３】爪部を裏側から見た部分拡大断面図である。
【図４】従来のオフセット印刷機の全体構成を示す概略断面図である。
【符号の説明】
【００４１】
１０    中間胴
１１    爪部
１２    回転軸
１３    カム軸
１３ａ、１３ｂ、１３ｃ  カム面
１４    爪台
１４ａ  爪台取付板
１４ｂ  ネジ
１４ｃ  バネ
１５    爪
１５ａ  爪ホルダー
１５ｂ  支持軸
１５ｃ  先端
１５ｄ  バネ
２０    連動機構
２１    駆動部材
２２    回転歯車
２３    歯車部
２４    ウォーム
【図１】
2006150682.tif 000003
【図２】
2006150682.tif 000004
【図３】
2006150682.tif 000005
【図４】
2006150682.tif 000006